(57)【特許請求の範囲】
【請求項１】
端子にクランプバネを取付けるクランプバネ取付け方法であって、
端子のバネ取付け部に治具挿入孔を形成する一方、
略ループ状のクランプバネの一端開口部に他端舌片を移動可能に係入させ、
クランプバネと端子とを対接させ、
一方型の治具を端子の治具挿入孔に挿入して、治具でクランプバネの他端側を保持し、
他方型の固定部でクランプバネの姿勢を保持すると共に、他方型の加圧部でクランプバネの一端側を押圧して他端舌片を該一端側に対して相対的に後退させ、
他端舌片の後退により設定されたクランプバネの一端開口部に端子を挿入する
クランプバネ取付け方法。
【発明の詳細な説明】
【０００１】
【発明の属する技術分野】
この発明は、リレーが接続保持されるリレーソケットに内蔵されるクランプバネを端子に取付けるクランプバネ取付け方法に関する。
【０００２】
【従来の技術】
従来、上述例の端子構造としては、例えば図１５に示すような構造がある。
すなわち、端子９１を設け、この端子９１にクランプバネ９２の基端部をろう付け固定し、このクランプバネ９２には開口部９３が形成されたものである。
【０００３】
この端子構造において図１５に実線で示すクランプバネ９２に対して矢印Ｘ方向の力を加えて、該クランプバネ９２を同図に仮想線で示すように変位させると、開口部９３が端子９１の一側(図１５の右側)から他側(図１５の左側)に移動するので、この開口部９３に配線を矢印ｙ方向から挿入した後に、上記矢印ｘ方向の付勢力を解除すると、クランプバネ９２は元位置方向へ復元して、端子９１とクランプバネ９２との間で配線をクランプすることができる。
【０００４】
【発明が解決しようとする課題】
しかし、上述の従来構造においては、クランプバネ９２を端子９１に対してろう付け固定するので、該クランプバネ９２を簡易に取付けることができない問題点があった。
この発明は、ろう付けを必要とすることなく、クランプバネのバネ力を用いて該クランプバネを端子に対して簡易かつ安全に取付けることができる取付け方法の提供を目的とする。
【０００５】
【課題を解決するための手段】
この発明によるクランプバネ取付け方法は、端子にクランプバネを取付けるクランプバネ取付け方法であって、端子のバネ取付け部に治具挿入孔を形成する一方、略ループ状のクランプバネの一端開口部に他端舌片を移動可能に係入させ、クランプバネと端子とを対接させ、一方型の治具を端子の治具挿入孔に挿入して、治具でクランプバネの他端側を保持し、他方型の固定部でクランプバネの姿勢を保持すると共に、他方型の加圧部でクランプバネの一端側を押圧して他端舌片を該一端側に対して相対的に後退させ、他端舌片の後退により設定されたクランプバネの一端開口部に端子を挿入するものである。
【０００６】
上記構成により、端子に形成された治具挿入孔から治具を挿入し、この治具で端子およびクランプバネの他端側を位置保持し、他方型の固定部でクランプバネの姿勢を保持された状態下において他方型の加圧型にてクランプバネの一端側を押圧すると、他端舌片が該一端側に対して相対的に後退するので、この後退により設定されたクランプバネの一端開口部に端子を挿入すると、クランプバネを端子に対して簡易かつ安全に取付けることができる。
【０００７】
この結果、ろう付けが不要となり、クランプバネそれ自体のバネ力を用いて、該クランプバネを端子に簡易に取付けることができる。
【０００８】
【実施例】
この発明の一実施例を以下図面に基づいて詳述する。
図面は端子構造およびクランプバネ取付け方法を示すが、まず図１を参照して上記端子構造を有するリレーソケットと、このリレーソケットに接続保持されるリレーの構成について説明する。
【０００９】
図１において、１１は合成樹脂等の電気絶縁部材にて構成したボックス形状のリレーソケットで、このリレーソケット１１には、凹状に屈曲形成された複数の端子１２を配設する端子配設部１３と、端子１２の一端部に取付けられたクランプバネ１４を配設するクランプバネ配設空間１５と、端子１２の他端部に取付けられた接触片１６を配設する接触片配設空間１７とが形成されている。
【００１０】
上述のクランプバネ配設空間１５の表面側(図示の上面側)には仕切部１８を介してクランプバネ操作孔１９と配線孔２０とが該空間１５に連通するように形成されている。
また上述の接触片配設空間１７の表面側(図示の上面側)にはリレー端子挿入孔２１が該空間１７と連通するように形成されている。
なお、図１で示したリレーソケット１１は図１３、図１４に示す如くそのソケット１１が一方ソケット１１Ａと他方ソケット１１Ｂとに２分割されている。
【００１１】
一方、リレー２２には、図１に示すようにその裏面部(図示の下面部)に複数のリレー端子２３が突設されており、該リレー端子２３をリレー端子挿入孔２１からリレーソケット１１の接触片配設空間１７に挿入すると、これら各リレー端子２３にはその両面から接触片１６が圧接され、リレー端子２３と対応する端子１２とが電気接続される。
【００１２】
この発明は図１の全体図においてクランプバネ１４と端子１２とを含む端子構造およびクランプバネ１４の取付け方法に関するもので、以下、この点について詳述する。
【００１３】
図２〜図４は合計４本の端子１２が切断ラインａ１，ａ２，ｂ１，ｂ２，ｃ１，ｃ２にて切断される以前の状態で、かつ凹状に屈曲形成される以前の状態を示し、これら４本の端子１２は連結片２４，２５，２６，２７，２８，２９で一体的に連結されている。
【００１４】
上述の各端子１２はその一端部１２ａがバネ取付け部に設定され、このバネ取付け部１２ａには単一の取付け部１２ａ当り複数たとえば合計２個のクランプバネ１４を取付ける関係上、該バネ取付け部１２ａには端子１２の長手方向に指向する合計２個の治具挿入孔としての長孔３０…がそれぞれ並行に穿設形成されている。
【００１５】
また、これら各長孔３０の延長線上に対応するように端子１２の端部には「く」の字状の係止部３１が一体形成されている。
さらに上述の各端子１２の他端部１２ｂには接触片１６取付け用の複数たとえば２個(単一の他端部１２ｂ当り２個)の突出し部３２が一体形成されている。
【００１６】
図５、図６は端子１２に取付けられる以前のクランプバネ１４を示し、このクランプバネ１４は一端片１４ａ、アール状の第１コーナ部１４ｂ、連結片１４ｃ、アール状の第２コーナ部１４ｄ、他端片１４ｅ、他端舌片１４ｆをこの順に一体形成し、一端片１４ａに形成された開口部３３(一端開口部)に上述の他端舌片１４ｆを移動可能に係入させて、その全体形状をほぼ三角形の略ループ状と成したものである。
【００１７】
ここで、上述の他端片１４ｅには図５、図６に矢印ｄで示すバネ力が常時作用しており、図５、図６に示す組付け前の状態下においては他端片１４ｅの他端部が開口部３３の口縁で受止められている。
また上述の他端舌片１４ｆには端子１２側の係止部３１と対応するように「く」の字状の圧接部３４が設けられている。
【００１８】
図７〜図１０はクランプバネ１４を端子１２のバネ取付け部１２ａに取付ける方法を示すが、まず図７を参照して、このクランプバネ取付け方法に用いる装置の構造について説明する。
【００１９】
クランプバネ取付け装置３５は、図７に示すように上述の長孔３０に挿入可能な治具３６を有する可動型３７(いわゆる上型)と、クランプバネ１４を所定の姿勢に保持するキャビティ３８およびクランプバネ１４加圧用のパンチ３９を有する固定型４０(いわゆる下型)とを備えている。
【００２０】
上述のキャビティ３８はクランプバネ１４の他端片１４ｅを上側に向けて該片１４ｅが略水平になるように該クランプバネ１４を姿勢保持するもので、このキャビティ３８はクランプバネ１４の一端片１４ａを支持する外高内低状(スラント状)の支持部３８ｂと、第１コーナ部１４ｂを収納し、かつパンチ３９の案内孔を兼ねる支持孔３８ｂと、連結片１４ｃを支持する内低外高状(スラント状)の支持部３８ｃと、第２コーナ部１４ｄを支持する縦壁部３８ｄとを有して、上方開放構造に形成されている。
【００２１】
次に図７〜図１０を参照してクランプバネ取付け方法について説明するが、上記端子１２には長孔３０が形成されているので、端子１２の反クランプバネ側に可動型３７を配設することができ、かつ反クランプバネ側から長孔３０を介して治具３６をクランプバネ１４側へ導出することができるものである。
【００２２】
まず図７に示すように固定型４０のキャビティ３８にクランプバネ１４を所定姿勢に配置すると共に、固定型４０のトップデッキ４０ａに端子１２を図示の如くセットする。
【００２３】
次に図８に示すように可動型３７を下方へ移動させ、該可動型３７の治具３６を端子１２の長孔３０を介して反クランプバネ側からクランプバネ側へ導出し、この治具３６をクランプバネ１４における他端片１４ｅの外面に当接させ、この治具３６で他端片１４ｅを保持する。端子１２は固定型４０と可動型３７の下面とで保持する。
【００２４】
次に図８の状態から図９に示すように、パンチ３９を端子１２側へ上動させて、このパンチ３９で一端片１４ａを上方に押圧すると、治具３６で保持された他端片１４ｅおよび他端舌片１４ｆが相対的に後退動し、この後退した他端舌片１４ｆの外面(図９の状態では上面)と一端片１４ａの一端(詳しくは開口部３３の口縁)との間に開口部３３が設定され、この状態(クランプバネ１４が変形した状態)を治具３６とパンチ３９とで確保・維持することができ、この状態下において上記開口部３３(つまり舌片１４ｆの相対的後退により設定された開口部で、さらに詳しくは舌片１４ｆ外面と口縁との間の開口部)に端子１２の係止部３１を挿入すべく、可動型３７を図示の左方(開口部方向)に移動させると、治具３６を介して上記端子１２の係止部３１を開口部３３に挿入および貫設することができる。
【００２５】
なお、上述の可動型３７を図示の左方に移動させる方法に代えて、端子１２の他端をプッシャ等の押圧手段で一端側(図示の左方)に押圧することで、端子１２の係止部３１を設定された開口部３３に挿入および貫設すべく構成してもよい。
【００２６】
次に図１０に示すようにパンチ３９を元位置に復帰させると、クランプバネ１４の他端片１４ｅがその復元力によって端子１２のバネ取付け部１２ａに当接すると共に、クランプバネ１４側の圧端部３４が端子１２側の係止部３１に圧接した状態で、該クランプバネ１４が端子１２に取付けられる。その後、同図に示すように可動型３７を下方の元位置に復帰させる。
【００２７】
このようにして図２〜図４で示した複数の長孔３０位置に対応して、長孔３０の数と同数のクランプバネ１４が同時に取付けられる。
その後、各端子１２の他端部１２ｂに対して突出し部３２を用いて接触片１６を取付け、次の偏平構造の各端子１２を凹状に屈曲形成すると共に、切断ラインａ１，ａ２，ｂ１，ｂ２，ｃ１，ｃ２(図２、図３参照)にて単一の端子１２毎に切断分離すると、図１１、図１２の如くなる。
【００２８】
すなわち、図１１、図１２に示すように他端舌片１４ｆの復元力によりクランプバネ１４は端子１２の所定部に固定され、かつ端子１２側の係止部３１に対してクランプバネ１４側の圧接部３４が圧接された状態となるので、この状態の端子構造を図１に示す如くリレーソケット１１にセットして使用するものである。
【００２９】
以上要するに上記実施例の端子構造は、クランプバネ１４を有する端子構造であって、略ループ状のクランプバネ１４の一端開口部３３に他端舌片１４ｆを移動可能に係入させ、上記舌片１４ｆの後退により設定された一端開口部３３に端子１２が挿入され、他端舌片１４ｆの復元力によりクランプバネ１４が端子１２に固定されたものである。
【００３０】
この構成により、クランプバネ１４の一端開口部３３に係入させた他端舌片１４ｆを該クランプバネ１４のバネ力に抗して後退させ、この後退により設定された一端開口部３３に端子１２を挿入すると、上記他端舌片１４ｆの復元力によりクランプバネ１４と端子１２とを固定することができる。
この結果、ろう付けが不要となり、クランプバネ１４それ自体のバネ力を用いて、該クランプバネ１４を端子１２に簡易に取付けることができる。
【００３１】
また、上記端子１２の他端舌片１４ｆと対応する部分には係止部３１を設ける一方、上記他端舌片１４ｆには上記係止部３１に圧接する圧接部３４が設けられたものであるから、端子１２側の係止部３１とクランプバネ１４の他端舌片１４ｆ側の圧接部３４とが互に圧接して、端子１２に対するクランプバネ１４の固定力向上を図ることができ、クランプバネ１４の不要な挙動を防止することができる。
【００３２】
さらに、上記端子１２には該端子１２とクランプバネ１４との組付け時に治具３６が挿入される治具挿入孔(長孔３０参照)が形成されたものであるから、端子１２とクランプバネ１４との組付け時には、上記治具挿入孔(長孔３０参照)に治具３６を挿入させて、クランプバネ１４の他端舌片１４ｆが形成された側つまり他端片１４ｅを保持することができるので、これら両者(端子１２とクランプバネ１４)の組付け性向上を図ることができる。
【００３３】
一方、上記実施例のクランプバネ取付け方法は、端子１２にクランプバネ１４を取付けるクランプバネ取付け方法であって、端子１２のバネ取付け部１２ａに治具挿入孔(長孔３０参照)を形成する一方、略ループ状のクランプバネ１４の一端開口部３３に他端舌片１４ｆを移動可能に係入させ、クランプバネ１４と端子１２とを対接させ、一方型(可動型３７参照)の治具３６を端子１２の治具挿入孔(長孔３０参照)に挿入して、治具３６でクランプバネ１４の他端片１４ｅを保持し、他方型(パンチ３９を有する固定型４０参照)でクランプバネ１４の一端片１４ａを押圧して他端舌片１４ｆを相対的に後退させ、他端舌片１４ｆの後退により設定されたクランプバネ１４の一端開口部３３に治具３６を介して端子１２を挿入するものである。
【００３４】
この構成により、端子１２に形成された治具挿入孔(長孔３０参照)から治具３６を挿入し、この治具３６で端子１２およびクランプバネ１４の他端片１４ｅを位置保持した状態下において他方型(固定型４０参照)にてクランプバネ１４の一端片１４ａを押圧すると、他端舌片１４ｆが相対的に後退するので、この後退により設定されたクランプバネ１４の一端開口部３３に上記治具３６を用いて端子１２を挿入すると、クランプバネ１４の端子１２に対して簡易かつ安全に取付けることができる。
【００３５】
なお、上記実施例で示したように複数の端子１２が連設された状態下で、かつ凹状の屈曲以前において、クランプバネ１４を取付けると、複数のクランプバネ１４を同時に取付けることができるので、その取付け性(組付け性)の大幅な向上を図ることができる。
【００３６】
この発明の構成と、上述の実施例との対応において、
この発明の治具挿入孔は、実施例の長孔３０に対応し、
以下同様に、
一方型は、可動型３７に対応し、
他方型の固定部は、固定型４０のキャビティ３８に対応し、
他方型の加圧部は、固定型４０のパンチ３９に対応し、
クランプバネの他端側は、他端片１４ｅに対応し、
クランプバネの一端側は、一端片１４ａに対応するも、
この発明は、上述の実施例の構成のみに限定されるものではない。
【００３７】
【発明の効果】
この発明によれば、ろう付けを必要とすることなく、クランプバネのバネ力を用いて該クランプバネを端子に簡易に取付けることができる効果がある。
【図面の簡単な説明】
【図１】  本発明の端子構造を備えたリレーソケットの断面図。
【図２】  クランプバネ取付け前の端子の斜視図。
【図３】  クランプバネ取付け前の端子の平面図。
【図４】  図３のＡ−Ａ線矢視断面図。
【図５】  クランプバネの拡大断面図。
【図６】  クランプバネの拡大斜視図。
【図７】  クランプバネ取付け方法を示す断面図。
【図８】  治具によるクランプバネ他端側の保持工程を示す断面図。
【図９】  開口部に対する端子の挿入工程を示す断面図。
【図１０】  クランプバネの取付け完了時の断面図。
【図１１】  本発明の端子構造を示す斜視図。
【図１２】  図１１の側面図。
【図１３】  リレーソケットの斜視図。
【図１４】  図１３の分解斜視図。
【図１５】  従来の端子構造を示す要部拡大断面図。
【符号の説明】
１２…端子
１２ａ…バネ取付け部
１４…クランプバネ
１４ａ…一端片(一端側)
１４ｅ…他端片(他端側)
１４ｆ…他端舌片
３０…長孔(治具挿入孔)
３１…係止部
３３…一端開口部
３４…圧接部
３６…治具
３７…可動型(一方型)
４０…固定型(他方型)
【図１】
0003852549.tif 000002
【図２】
0003852549.tif 000003
【図３】
0003852549.tif 000004
【図４】
0003852549.tif 000005
【図５】
0003852549.tif 000006
【図６】
0003852549.tif 000007
【図７】
0003852549.tif 000008
【図８】
0003852549.tif 000009
【図９】
0003852549.tif 000010
【図１０】
0003852549.tif 000011
【図１１】
0003852549.tif 000012
【図１２】
0003852549.tif 000013
【図１３】
0003852549.tif 000014
【図１４】
0003852549.tif 000015
【図１５】
0003852549.tif 000016